(57)【要約】  流体またはゲルを収容および供給する容器のためのキャップであって、開口を囲むシュラウド壁を有するシュラウドと、シュラウドに接続された襟部とを備え、それにより襟部はシュラウドに対して襟部が選択的に回転するキャップが提供される。この襟部は、閉位置と開位置との間で回転可能である。アクチュエータは、シュラウドに接続されていると共に接触部を有する。接触部は、シュラウドの開口内にある。アクチュエータは、タブを取り外した後にだけ接触部に加えられる力により閉位置および開位置で移動可能である。【選択図】    図１
2016502962.tif 000002
【特許請求の範囲】
【請求項１】
流体またはゲルを収容および供給する容器のためのキャップであって、前記キャップは、
開口を囲むシュラウド壁を有するシュラウドと、
前記シュラウドに接続された襟部であって、それにより前記襟部は前記シュラウドに対して選択的に回転し、前記襟部は閉位置と開位置との間で回転可能である、前記シュラウドに接続された襟部と、
前記シュラウドに接続されていると共に接触部を有するアクチュエータであって、前記接触部は前記シュラウドの開口内にあり、前記アクチュエータは前記接触部に加えられる力により前記閉位置と前記開位置の両方で移動可能である、前記シュラウドに接続されていると共に接触部を有するアクチュエータと、
を備える、
流体またはゲルを収容および供給する容器のためのキャップ。
【請求項２】
前記襟部は、下縁の反対の位置にある上縁を有し、前記襟部は前記下縁から前記上縁へサイズが減少させられる、請求項１に記載のキャップ。
【請求項３】
前記シュラウド壁は、前記接触部を部分的に囲む、請求項２に記載のキャップ。
【請求項４】
前記襟部の前記上縁は、前記閉位置で前記接触部の一部を覆う、請求項３に記載のキャップ。
【請求項５】
前記襟部の前記上縁は、前記開位置で前記接触部の一部を覆わない、請求項４に記載のキャップ。
【請求項６】
前記シュラウド壁は、くぼみを形成する外面を有し、ここで少なくとも第１のシュラウドリブは前記くぼみの中にある、請求項１に記載のキャップ。
【請求項７】
前記襟部は内面を有し、ここで襟部リブは前記内面から突出する、請求項６に記載のキャップ。
【請求項８】
前記襟部リブが前記シュラウドの前記外面により形成された前記くぼみの中に延びるように、前記襟部は前記シュラウドに接続され、
前記襟部リブは前記くぼみの中に延びており、それで前記襟部の回転中に前記襟部リブの一部が、前記襟部リブおよび／または前記襟部を変形させる前記第１のシュラウドリブに接触し、そのため前記襟部リブが前記第１のシュラウドリブのまわりを通過する、、請求項７に記載のキャップ。
【請求項９】
前記襟部リブと前記第１のシュラウドリブの間の前記接触は、可聴ノイズを発生させる、請求項８に記載のキャップ。
【請求項１０】
前記襟部は、第１の襟部分と第２の襟部分との間の襟部空間を形成する襟部壁を有する、請求項１に記載のキャップ。
【請求項１１】
前記シュラウドは、第１の側部と第２の側部との間のシュラウド空間を形成する形状を有し、前記襟部空間は、前記開位置で前記シュラウド空間と揃えられ、襟部壁の少なくとも一部は、前記閉位置で前記シュラウド空間の少なくとも一部を覆う、請求項１０に記載のキャップ。
【請求項１２】
前記襟部は、接続位置で前記襟部空間内のタブに接続されており、前記タブは、前記シュラウドに対する前記襟部の回転を防ぐように前記シュラウドの前記第１の側部と前記第２の側部との間に嵌まるように寸法決められた上部タブ部分を有する、請求項１１に記載のキャップ。
【請求項１３】
前記襟部は、接続位置で前記襟部空間内でタブに接続され、前記タブは、前記アクチュエータの少なくとも一部を覆う上部タブ部分を有する、請求項１０に記載のキャップ。
【請求項１４】
前記襟部は、襟部壁を貫通する襟部孔を有する前記襟部壁を有し、前記シュラウドは、前記シュラウド壁を貫通するシュラウド孔を有し、前記襟部孔と前記シュラウド孔とは、前記開位置で揃えられる、請求項１に記載のキャップ。
【請求項１５】
前記襟部は、襟部壁を貫通する襟部孔を有する前記襟部壁を有し、前記シュラウドは、前記シュラウド壁を貫通するシュラウド孔を有し、前記襟部壁は、閉位置で前記シュラウド孔を覆う、請求項１に記載のキャップ。
【請求項１６】
前記襟部壁は、閉位置で前記シュラウド孔を囲む前記シュラウド壁に接触する、請求項１５に記載のキャップ。
【請求項１７】
前記上部タブ部分は、前記シュラウドの前記開口の７５パーセントから９５パーセントを覆う、請求項１３に記載のキャップ。
【請求項１８】
前記上部タブ部分はへこみを有し、前記へこみおよび前記シュラウドは、取り外しのために前記タブに圧力を加えるためにそれらの間に使用者の指によりアクセス可能である空間を形成する、請求項１３に記載のキャップ。
【請求項１９】
前記襟部は、下縁とは反対側に上部襟部分を有し、前記上部襟部分は、前記閉位置で前記接触部の一部を覆う、請求項１に記載のキャップ。
【請求項２０】
前記上部襟部分はへこみを有し、前記へこみおよび前記シュラウドは、取り外しのために前記タブに圧力を加えるために使用者の指によりアクセス可能であるそれらの間に空間を形成する、請求項１８に記載のキャップ。
【請求項２１】
前記シュラウド壁は、へこみを形成し前記へこみの中にポストを備えた外面を有し、前記襟部は、内面を有し、襟部リブが前記ポストを通過するときに単一の際立ったクリック位置を示すノイズを生成することにより前記ポストと相互作用する前記内面から突出する襟部リブを備えた、請求項１に記載のキャップ。
【請求項２２】
前記キャップは、使用者による店内でのスプレー噴射を防止する、請求項１に記載のキャップ。
【請求項２３】
前記キャップは、使用者による意図しない作動を防ぐ、請求項１に記載のキャップ。
【発明の詳細な説明】
【技術分野】
【０００１】
本開示は、液体またはゲルを収納および供給するための組立体に関する。より詳細には、本開示は、液体またはゲルを供給するためのキャップに関する。
【背景技術】
【０００２】
液体またはゲルを収容および供給する容器は、当業界で知られているようにエアゾール容器を含む。エアゾール容器は、例えば、液体またはゲル、および噴射剤、例えば、加圧された液化ガス噴射剤の製品を保持する。噴射剤は、弁を開くためにキャップにある押しボタンなどによりアクチュエータを使用者が作動させると、容器に接続されたキャップ中の穴を通じて容器から製品を勢いよく出す。従来のキャップは、望ましくないことに、使用後に穴の周りに製品の堆積を積み重ねる。この堆積は、エアゾール容器の動作に有害であり、したがって、衛生上の問題を引き起こす穴の目詰まりにつながり得る。
【０００３】
従来のエアゾール容器は、開位置と閉位置との両方でキャップにあるプッシュボタンなどのアクチュエータへのアクセスを可能にする。そのような容器は、閉位置で使用者により押しボタンに力が加えられた場合でも押しボタンの移動を防ぐ装置を必要とする。加えて、これらの容器は、容器が使用前に勝手に開封されたかどうかを使用者に示さない。
【発明の概要】
【０００４】
従って、堆積を最小限にするキャップが必要とされていることが、本開示により明らかにされている。閉位置でアクチュエータに使用者がアクセスするのを最小限にするまたは防ぐキャップがさらに必要とされている。使用前にアクチュエータに使用者がアクセスするのを最小限にするまたは防ぐ開封インジケータ付きディスペンサキャップがまたさらに必要とされている。
【０００５】
本開示は、流体またはゲルを収容および供給する容器のためのキャップを提供する。キャップは、開口を囲むシュラウド壁を有するシュラウドと、シュラウドに対して襟部が選択的に回転するようにシュラウドに接続されたと襟部とを含む。襟部は、閉位置と開位置との間で回転可能である。アクチュエータは、シュラウドに接続されていると共にシュラウドの開口内にある接触部を有する。アクチュエータは、接触部に加えられる力により、閉位置と開位置との両方で移動可能である。
【０００６】
本発明の上述および他の特徴および利点は、以下の詳細な説明、図面、および添付の特許請求の範囲から当業者により認識され理解されよう。
【図面の簡単な説明】
【０００７】
【図１】開位置にあると共にタブが接続位置にあるディスペンサキャップの第１の例示的実施形態の上面側斜視図。
【図２】図１のディスペンサキャップの上面図。
【図３】図１のディスペンサキャップの背面図。
【図４】開位置にあると共にタブが取り除かれた図１のディスペンサキャップの上面側斜視図。
【図５】図４のディスペンサキャップの背面図。
【図６】図４のディスペンサキャップの上面図。
【図７】閉位置にあると共にタブが取り除かれた図１のディスペンサキャップに類似しているディスペンサキャップの上面側斜視図。
【図８】図７のディスペンサキャップの上面図。
【図９】図７のディスペンサキャップの背面図。
【図９ａ】図７のディスペンサキャップの底面図。
【図１０】図１のアクチュエータの上面側斜視図。
【図１０ａ】タブが接続位置にある状態で開位置にある図７のディスペンサキャップの側面断面図。
【図１１】タブが接続位置にある図１のディスペンサキャップの襟部の底面側斜視図。
【図１２】図１１の襟部の底部前面斜視図。
【図１３】図１２中のＡにより指定された襟部の部分拡大部分の図。
【図１４】図１１の襟部の背面側斜視図。
【図１５】図１のディスペンサキャップのシュラウドの上面側斜視図。
【図１６】図１５のシュラウドの部分上面図。
【図１７】図１のディスペンサキャップの部分断面図。
【図１８】図１のディスペンサキャップの部分断面図。
【図１９】図１のディスペンサキャップの部分断面図。
【図２０】襟部が透明として示された図１のディスペンサキャップの上面側斜視図。
【図２１】図２０の部分側面図。
【図２２】襟部が透明として示されると共にタブが取り除かれた図１のディスペンサキャップの上面側斜視図。
【図２３】襟部が透明として示され、閉位置にあり、タブが取り除かれた図１のディスペンサキャップの上面側斜視図。
【図２４】図２３の部分側面図。
【図２５】従来のスプレー組立体の側面図。
【図２６】図１のディスペンサキャップを有するスプレー組立体の側面図。
【図２７】開位置にあると共にタブが接続位置にある本開示のディスペンサキャップの第２の例示的実施形態の上部前面斜視図。
【図２８】図２７のディスペンサキャップの上部背面斜視図。
【図２９】図２７のディスペンサキャップの上面図。
【図３０】図２７のディスペンサキャップの底面図。
【図３１】図２７のディスペンサキャップの側面断面図。
【図３２】開位置にあると共にタブが取り除かれた図２７のディスペンサキャップの上部前面斜視図。
【図３３】図３２のディスペンサキャップの上部背面斜視図。
【図３４】図３２のディスペンサキャップの上面図。
【図３５】閉位置にあると共にタブが取り除かれた図２７のディスペンサキャップの上部前面斜視図。
【図３６】図３５のディスペンサキャップの上部背面斜視図。
【図３７】図３５のディスペンサキャップの上面図。
【図３８】図２７のディスペンサキャップの襟部の上部前面斜視図。
【図３９】図３８の襟部の上部背面斜視図。
【図４０】図３８の襟部の上面図。
【図４１】図３８の襟部の底面図。
【図４２】図３８の襟部の側面断面図。
【図４３】図２７のディスペンサキャップのシュラウドの上部前面斜視図。
【図４４】図４３のシュラウドの上面図。
【図４５】図３５のディスペンサキャップの上面断面図。
【図４６】図３２のディスペンサキャップの上面断面図。
【図４７】襟部とシュラウドとの一部とが開位置で切り取られた図３２のディスペンサキャップの右側面図。
【図４８】開位置にあると共にタブが接続位置にあるディスペンサキャップの第３の例示的実施形態の上部前面斜視図。
【図４９】図４８のディスペンサキャップの上部背面斜視図。
【図５０】図４８のディスペンサキャップの上面図。
【図５１】図４８のディスペンサキャップの襟部の上部前面斜視図。
【図５２】図５１の襟部の上面図。
【図５３】図５１の襟部の底面図。
【図５４】図５１の襟部の側面断面図。
【図５５】開位置にあると共にタブが取り除かれた図４８のディスペンサキャップの上部前面斜視図。
【図５６】図５５のディスペンサキャップの上部背面斜視図。
【図５７】図５５のディスペンサキャップの上面図。
【図５８】閉位置にあると共にタブが取り除かれた図４８のディスペンサキャップの上部前面斜視図。
【図５９】図５８のディスペンサキャップの上部背面斜視図。
【図６０】図５８のディスペンサキャップの上面図。
【発明を実施するための形態】
【０００８】
図面、特に図１を参照すると、本開示によるディスペンサキャップの第１の例示的実施形態が、開位置で示されており、参照番号１０により概して参照されている。ディスペンサキャップ１０は、襟部１２と、シュラウド１４と、アクチュエータ１６と、インサート１８とを有する。ディスペンサキャップ１０は、製品、例えば液体またはゲル、および噴射剤、例えば加圧された液化ガス噴射剤を保持するために、容器、例えば当技術分野で知られているようなエアゾール容器に接続されている。噴射剤は、炭化水素、ハイドロフルオロカーボン、二酸化炭素、窒素、または任意の他の適切な圧縮ガスとすることができる。ディスペンサキャップ１０がエアゾール容器に接続されているとき、使用者は、製品および／または噴射剤がアクチュエータ１６とインサート１８とを通過するように通路を開くために、図１の矢印Ｆで示されるようにアクチュエータ１６に力を加える。例えば、４．５ポンドの垂直な力は、アクチュエータ１６を押し下げるのに十分な力である。襟部１２と、シュラウド１４と、アクチュエータ１６と、インサート１８とは、プラスチック、例えばポリプロピレンから作製されている。襟部１２とシュラウド１４とは、エルカミドコーティングを有するポリプロピレンであり得る。
【０００９】
図１〜図３を参照すると、襟部１２は、アクチュエータ１６とインサート１８とへのアクセスを実現するために襟部壁１３ａを貫通する孔１３を有し、接続位置でタブ２０に接続されている。図３と図１４とに示すように、襟部１２は、１つまたは複数のコネクタ２２により接続位置でタブ２０に接続されている。コネクタ２２は、金属製であり、および／または各コネクタ２２が壊れやすいもしくは使用者により破壊できるように寸法決めされている。コネクタ２２を壊し襟部１２からタブ２０を取り除くために、使用者は、例えば、図１の矢印Ａに示されるように、タブ２０を把持し力を加える。コネクタ２２は、例えばホモポリマーポリプロピレンといった材料で作製されている。コネクタ２２は、例えば、深さ０．９ミリメートル、幅１．３０ミリメートル、長さ１．８０ミリメートルを有するように寸法決めされ得る。接続位置では、タブ２０とコネクタ２２とは、ディスペンサキャップ１０が使用されていないことを使用者に示し、ディスペンサキャップ１０が勝手に開封されていないことを使用者に証拠提供する。
【００１０】
再び図１を参照すると、シュラウド１４は、シュラウド壁２５により囲まれた開口２８ａと、シュラウド壁２５を貫通する孔２３とを有する。襟部１２は、シュラウド１４が襟部１２の第１の側にある上部シュラウド部２４と襟部１２の反対側にある底部シュラウド部２６とを有するようにシュラウド１４に接続されている。シュラウド１４は、第１の側部３０と第２の側部３２との間に空間２８を形成する形状を有する。
【００１１】
図２の矢印Ｂにより示されるように、襟部１２は、襟部１２がシュラウド１４に対して回転することができるようにシュラウド１４に接続されている。接続位置では、タブ２０は、シュラウド１４に対する襟部１２の回転を最小にするまたは防ぐために、シュラウド１４の上部シュラウド部２４の第１の側部３０と第２側部３２との間に嵌まるように寸法決めされている上部タブ部分３４を有する。
【００１２】
図２を参照すると、上部タブ部分３４と上部シュラウド部２４とは、図１の矢印Ｆで示されるように力がアクチュエータ１６に加えられるのを最小にするまたは防ぎ、それによって、ディスペンサキャップ１０に接続された容器の内容物が供給されるのを防ぐために、上部タブ部分３４と上部シュラウド部２４との間のアクチュエータ１６への使用者のアクセスを最小にするまたは防ぐように寸法決めされている。上部タブ部３４は、開口２８ａの約３０％の大きさである。
【００１３】
図４〜図６を参照すると、タブ２０が取り除かれると、襟部壁１３ａは、第１の襟部３３と第２の襟部３５との間に空間３１を形成する。空間３１は、Ｕ字型とされ得る。空間３１は、空間３１と空間２８とがアクチュエータ１６へのよりよいアクセスを許可するように（「開位置」）、シュラウド１４内の空間２８と揃えられる。従って、例えばディスペンサキャップ１０に接続された容器の内容物を供給するために、図１の矢印Ｆで示された力が、アクチュエータ１６に加えられ得る。使用者の指は、アクチュエータ１６に接触するように襟部１２中の空間３１とシュラウド１４中の空間２８とを通じて延びることができる。タブ２０が取り除かれると、襟部１２は、図２および図６に矢印Ｂで示されるように、シュラウド１４に対して回転することができる。
【００１４】
図７を参照すると、ディスペンサキャップ１０と同様であるディスペンサキャップ１０ａが示されているが、寸法および色の一部は、ディスペンサキャップとは異なる。ディスペンサキャップ１０と同じであるディスペンサキャップ１０ａの特徴は、同じ参照番号によって特定される。ディスペンサキャップ１０ａは、タブ２０が取り除かれており、襟部１２は、図２および図６の矢印Ｂで示されるように回転させられ、それにより、襟部１２の孔１３を図８に示される位置へ移動させる。この位置で、襟部１２の孔１３とシュラウド１４の孔２３はもはや揃えられておらず、襟部１２はシュラウド１４の孔２３を覆っている。これは閉位置である。図９を参照すると、襟部１２の空間３１は、襟部１２の回転によって移動されるため、この閉位置において、襟部１２の空間３１は、シュラウド１４の空間２８ともはや揃えられていない。使用者の指は、アクチュエータ１６に接触するように襟部１２中の空間３１とシュラウド１４中の空間２８とを通じてもはや延びることができない。
【００１５】
図８を参照すると、襟部１２は、下縁１２ａから上縁１２ｂへサイズが減少する形状を有する。図１の矢印Ｆにより示されるように力をアクチュエータ１６に加えるために、使用者の指が襟部１２の上縁１２ｂとシュラウド１４との間のアクチュエータ１６にアクセスするのを最小にするまたは防ぐように、襟部１２の上縁１２ｂは、閉位置でアクチュエータ１６の上方の空間２８の一部を覆う。
【００１６】
図９ａ〜図１０を参照すると、アクチュエータ１６は、開口２８ａにある接触部３６を有する。接触部３６は、接続部３８に接続されている。図１０を参照すると、接続部３８の第１の端部４０は、ディスペンサキャップ１０に接続された容器に接続し、例えば、接続部３８は、容器から供給された噴射剤および／または製品を受け取るチューブに接続している。接続部３８の第２の端部４２は、導管４４の第１の端部４６に接続されている。導管４４の第１の端部４６は、接触部３６にも接続されている。導管４４は、挿入部５０に接続している第２の端部４８を有する。
【００１７】
図９ａを参照すると、挿入部５０は、挿入部５０の両側の突出部５０ａと５０ｂとに接続されている。突出部５０ａと５０ｂとは、シュラウド１４に接続されたホルダ５１と５３との一方にそれぞれ嵌められる。ホルダ５１と５３とは、それぞれが開口を有するようにＣ字形である。突出部５０ａと５０ｂとがそれぞれホルダ５１と５３との一方の開口を通じて嵌まり、スナップフィットによってその中に保持されるように、突出部５０ａと５０ｂとならびに／またはホルダ５１と５３とは、可撓性とすることができる。突出部５０ａと５０ｂとがホルダ５１と５３との接続を維持しながら接触部３６を移動させるために、力が図１の矢印Ｆに示されるように接触部３６に加えられ得るように、突出部５０ａと５０ｂとおよびホルダ５１と５３とは、図１に矢印Ｆで示されるようにシュラウド１４とアクチュエータ１６との間に片持ち梁接続を形成する。アクチュエータ１６は、図１の矢印Ｆに示されるように、アクチュエータ１６にもはや力が加えられていないとき、アクチュエータ１６は、図１の矢印Ｆに示されるように力と反対方向に移動し、力が加えられるよりも前のその初期位置に戻るように可撓性を有する。
【００１８】
挿入部５０は、その中にインサート１８を受け入れる。導管４４は、接続部３８から導管４４を通じて、挿入部５０を通じて、およびインサート１８を通じてディスペンサキャップ１０から外へ流体が流れることができるように接続部３８を挿入部５０に接続している。上述のように、アクチュエータ１６とインサート１８とを通過させるように製品および／または噴射剤のための通路を開くために、図１の矢印Ｆに示されるように、使用者は、アクチュエータ１６に力を加える。図１０ａを参照すると、ディスペンサキャップ１０ａは、エアゾール容器２００に接続されている。
【００１９】
図１１を参照すると、襟部１２は、突出部５２をその内面５４上に有する。突出部５２は、隣接する下縁１２ａであり、襟部１２の外周あたりで連続している。代替として、あまり好ましくないが、突出部５２は、不連続であってもよい。襟部１２は、外面５８にリッジ５６を有する。リッジ５６は、襟部１２の回転中に使用者による把持を助けることができる。
【００２０】
図１２〜図１３を参照すると、内面５４は、襟部リブ６０を有する。襟部リブ６０は、内面５４から突出する。襟部リブ６０は、襟部１２の上縁１２ｂから下縁１２ａへの方向に延びる。襟部リブ６０は、可撓性である先端６１を有する。襟部１２は、内面５４に成形された襟部リブ６０を有することができる。
【００２１】
図１５〜図１６を参照すると、シュラウド１４は、上部シュラウド部２４と底部シュラウド部２６との間に中間シュラウド部６２を有する。中間シュラウド部６２は、くぼみ６６を形成する外面６４を有する。くぼみ６６は、第１の側壁６６ａと、第２の側壁６６ｂと、第１の側壁６６ａと第２の側壁６６ｂとの間の底壁６６ｃとを有する。中間シュラウド部６２は、くぼみ６６内に第１のシュラウドリブ６８と第２のシュラウドリブ７０とを有する。第１のシュラウドリブ６８と第２のシュラウドリブ７０とは、剛性とすることができる。第１のシュラウドリブ６８と第２のシュラウドリブ７０とは、くぼみ６６内に成形され得る。中間シュラウド部６２の外面６４は、溝７２を形成する。溝７２は、底部シュラウド部２６に隣接している。図１２〜図１３に示されるように、溝７２は、襟部１２の突出部５２を受け入れるように寸法決めされ形成される。
【００２２】
図１７を参照すると、襟部１２は、シュラウド１４の溝７２に襟部１２の突出部５２を配置することによりシュラウド１４に接続されている。この接続は、例えば、スナップフィットとすることができる。溝７２と突出部５２とは、シュラウド１４に対する襟部１２の回転を許容する。溝７７と突起５２とは、シュラウド１４に接続された襟部１２を保持する。襟部１２とシュラウド１４とは、例えば、シュラウド１４上の襟部１２の保持に影響を与えずに襟部１２の容易な回転を実現するポリプロピレン１キログラム当たり４グラムのエルカ酸アミドスリップ添加剤を含む。
【００２３】
図１８〜図１９を参照すると、襟部１２は、襟部リブ６０がシュラウド１４の外面６４により形成されたくぼみ６６の中に延びるようにシュラウド１４に接続されている。回転中に、襟部リブ６０の先端６１が第１のシュラウドリブ６８および／または第２のシュラウドリブ７０に接触し、襟部リブ６０の先端６１および／または襟部１２を変形させ、襟部リブ６０の先端６１が第１のシュラウドリブ６８と第２のシュラウドリブ７０との各々のまわりを通過することを可能にするように、襟部リブ６０は、くぼみ６６の中に延びる。襟部リブ６０と先端６１とは、例えばホモポリマーポリプロピレンなどの材料で作製され得る。襟部リブ６０の先端６１と第１のシュラウドリブ６８および第２のシュラウドリブ７０の各々との間の接触は、可聴ノイズ即ち「クリック（ｃｌｉｃｋ）」を発生させる。
【００２４】
図２０〜図２１を参照すると、タブ２０が接続位置にあるとき、ディスペンサキャップ１０は開位置にある。ディスペンサキャップ１０が開位置にあるとき、襟部リブ６０は、第２のシュラウドリブ７０とシュラウド１４に形成されたくぼみ６６の第２の側壁６６ｂとの間にある。上部タブ部分３４と上部シュラウド部２４とは、上部タブ部分３４と上部シュラウド部２４との間のアクチュエータ１６への使用者のアクセスを最小にしまたは防ぎ、それによりタブ２０が接続されるときディスペンサキャップ１０に接続された容器の内容物を供給することになるアクチュエータ１６の接触部３６に矢印Ｆにより示されるように力が加えられることを最小にするまたは防ぐように寸法決めされている。コネクタ２２を破壊し襟部１２からタブ２０を取り除くために、使用者は、タブ２０を把持し、例えば矢印Ａにより示されるように力を加える。タブ２０は、タブ２０を取り除くためにタブ２０に力を加える方向を使用者に示すインジケータ３４ａを有し、例えば、方向Ａの矢印で「切取り部分」が、タブ部分３４に成形される。
【００２５】
図２２を参照すると、タブ２０が取り除かれると、使用者の指は、ディスペンサキャップ１０に接続された容器の内容物を供給するために、矢印Ｆに示されるように力が加えられるようにアクチュエータ１６に接触するように、襟部１２中の空間３１とシュラウド１４中の空間２８とを通じて延びることができる。ディスペンサキャップ１０は、第２のシュラウドリブ７０のまわりを通過するように襟部リブ６０の先端６１を移動させるのに十分所定の力が加えられるまで開位置に維持される。
【００２６】
タブ２０が取り除かれると、襟部１２は、所定の力を加えることにより、矢印Ｂに示されるように、シュラウド１４に対して回転することができる。シュラウド１４は、閉位置に移動するために襟部１２を回転させる方向を使用者に示すインジケータ１５を有し、例えば、矢印と共に「閉（ｃｌｏｓｅ）」が、上部シュラウド部２４に成形される。襟部１２が例えば約６０度回転されると、襟部リブ６０の先端６１は、図２３および図２４に示されるように閉位置に移動するために、第１のシュラウドリブ６８と第２のシュラウドリブ７０との各々の上を通過する。襟部リブ６０の先端６１と第１のシュラウドリブ６８および第２のシュラウドリブ７０のそれぞれとの間の接触は、２つの可聴ノイズまたは「クリック」を発生させる。２つのクリックのうちの第１のクリックは、襟部リブ６０の先端６１が開位置から移動させられるときに発生させられ、次いで、第２のクリックは、襟部リブ６０の先端６１が閉位置に移動させられるときに発生させられる。閉位置では、襟部リブ６０の先端６１は、第１のシュラウドリブ６８とくぼみ６６の第１の側壁６６ａとの間にある。ディスペンサキャップ１０は、第１のシュラウドリブ６８のまわりを通過するように襟部リブ６０の先端６１を移動させるのに十分所定の力が加えられるまで閉位置で維持される。襟部１２の上縁１２ｂは接触部３６の一部を覆い、襟部１２の空間３１は襟部１２の回転により移動させられ、それにより、襟部１２の空間３１はもはや閉位置でシュラウド１４の空間２８に揃えられていない。アクチュエータ１６へのアクセスは、襟部１２がアクチュエータ１６へのアクセスを阻止しシュラウド１４中の孔２３を覆うまたは隠すので、容器の内容物を供給するために矢印Ｆで示された力を使用者が加えることができないように閉位置で防がれるまたは最小にされる。しかし、接触部３６は、閉位置で移動可能である。襟部壁１３ａは、閉位置で孔２３を囲むシュラウド壁２５に接触することができる。
【００２７】
襟部１２は、図２３中の矢印Ｃに示されるように、シュラウド１４に対して回転することができる。襟部１２が例えば約６０度回転されると、図２２に示されるように、襟部リブ６０は、開位置に移動するために、第１のシュラウドリブ６８と第２のシュラウドリブ７０の各々のまわりを通過する。シュラウド１４は、開位置へ移動させるために襟部１２を回転させる方向を使用者に示すインジケータ１７を有し、例えば、矢印の「オープン（ＯＰＥＮ）」は中間シュラウド部６２の中に成形される。襟部リブ６０の先端６１と第１のシュラウドリブ６８および第２のシュラウドリブ７０のそれぞれとの間の接触は、２つの可聴ノイズまたは「クリック」を発生させる。２つのクリックのうちの第１のクリックは、襟部リブ６０の先端６１が閉位置から移動させられるときに発生させられ、次いで、第２のクリックは、襟部リブ６０の先端６１が開位置に移動させられるときに発生させられる。タブ２０が取り除かれると、ディスペンサキャップ１０は、使用者が望むような開位置と閉位置とへ／から選択的に移動することができる。襟部リブ６０は、第１側壁６６ａと第２の側壁６６ｂとが襟部リブ６０の回転を規制するように、くぼみ６６の第１側壁部６６ａと第２の側壁６６ｂとの間で回転する。
【００２８】
図２５を参照すると、従来のゲルディスペンサが示されている。使用後、ゲルの堆積が存在する。対照的に、図２６は、ディスペンサキャップ１０を含むディスペンサ組立体を示す。使用後、図２５とは対照的に、ディスペンサキャップ１０にゲルの堆積は存在せず、またはシュラウド１４の孔２３を覆う襟部１２によって視界から隠されている。有利には、ディスペンサキャップ１０は、望ましくない堆積を最小にするまたは防ぐと共に、閉位置でまたは使用前にアクチュエータ１６へのアクセスを妨害することにより、ディスペンサキャップ１０に接続された容器の内容物の供給を最小にするまたは防ぐ。
【００２９】
図２７を参照すると、本開示によるディスペンサキャップの第２の例示的実施形態が開位置に示されており、参照番号２１０により全体的に参照されている。ディスペンサキャップ２１０は、襟部２１２と、シュラウド２１４と、図３０および図３１に示されるように、アクチュエータ２１６と、図２７に示されるように、インサート２１８とを有する。ディスペンサキャップ１０について上述したように、ディスペンサキャップ２１０は、容器、例えばエアゾール容器に接続している。襟部２１２と、シュラウド２１４と、アクチュエータ２１６と、インサート２１８とは、プラスチック、例えば、ポリプロピレンから作成される。襟部２１２とシュラウド２１４とは、エルカミドコーティングを有するポリプロピレンとすることができる。
【００３０】
図２７〜図２９を参照すると、襟部２１２は、アクチュエータ２１６とインサート２１８へのアクセスを実現するために、襟部壁２１３ａを貫通する孔２１３を有し、接続位置でタブ２２０に接続されている。図２８に示されるように、襟部２１２は、１つ以上のコネクタ２２２により接続位置でタブ２２０に接続されている。コネクタ２２２は、各コネクタ２２２が壊れやすいまたは使用者によって破壊することができるように、ある材料で作製されおよび／または寸法決めされている。図２７の矢印Ａ２に示されるように、コネクタ２２２を破壊し、襟部２１２からタブ２２０を取り除くために、使用者は、例えばタブ２２０を把持し力を加える。コネクタ２２２は、例えばホモポリマーポリプロピレンといった材料で作製される。コネクタ２２２は、コネクタ２２は、例えば、深さ０．９ミリメートル、幅１．３０ミリメートル、長さ１．８０ミリメートルを有するように寸法決めされ得る。接続位置では、タブ２２０とコネクタ２２２とは、ディスペンサキャップ２１０が使用されていないことを使用者に示し、ディスペンサキャップ２１０が勝手に開封されていないことを使用者に証拠提供する。
【００３１】
再び図２７を参照すると、シュラウド２１４は、シュラウド壁２２５により囲まれた開口２２８ａと、シュラウド壁２２５を貫通する孔２２３とを有する。襟部２１２は、シュラウド２１４が襟部２１２の第１の側にある上部シュラウド部２２４と襟部２１２の反対側にある底部シュラウド部２２６とを有するようにシュラウド２１４に接続されている。シュラウド２１４は、第１の側部２３０と第２の側部２３２との間に空間２２８を形成する形状を有する。
【００３２】
襟部２１２は、襟部２１２が矢印Ｂ２に示されるようにシュラウド２１４に対して回転することができるようにシュラウド２１４に接続されている。接続位置では、タブ２２０は、シュラウド２１４に対する襟部２１２の回転を最小にするまたは防ぐために、シュラウド２１４の上部シュラウド部２２４の第１側部２３０と第２の側面部２３２との間に嵌まるように寸法されている上部タブ部分２３４を有している。上部タブ部分２３４は、開口２２８ａのサイズの２０パーセントから１００パーセントとの間であり、最も好ましくは、開口２２８ａのサイズの７５パーセントから９５パーセントである。
【００３３】
図２９および図３１を参照すると、上部のタブ部分２３４と上部シュラウド部２２４とは、図３２の矢印Ｆ２に示されるように力がアクチュエータ２１６に加えられるのを最小にするまたは防ぎ、それによって、ディスペンサキャップ２１０に接続された容器の内容物がスプレーされるのを防ぐために、上部タブ部分２３４と上部シュラウド部２２４との間のアクチュエータ２１６への使用者のアクセスを最小にするまたは防ぐように寸法決めされている。例えば、４．５ポンドの垂直方向の力は、アクチュエータ２１６を押し下げるのに十分な力である。シュラウドは、上部タブ部分２３４の下面を支持し、上部タブ部分２３４が押し下げられるのを最小にするまたは防ぐ２つ以上の突起２７７を有する。上部シュラウド部２２４は、上部シュラウド部２２４と上部タブ部分２３４との間の空間２７６を与えるへこみ２７５を有する。上部タブ部分２３４は、図４２に示されるように、側部タブ部分２２１に接続する平坦部分２６３と、側部タブ部分２２１から離れるように突出すると共にタブ２２０の自由端である突出部分２６５とを有する。使用者は、コネクタ２２２を破壊し襟部２１２からタブ２２０を取り除くために、例えば矢印Ａ２で示されるように、力を加えるために空間２７６内に指を挿入する。使用者は、コネクタ２２２を破壊し襟部２１２からタブ２２０を取り除くために、例えば矢印Ａ２で示されるように、力を加えつつ、上部タブ部分２３４の突出部分２６５の下に使用者の指の一部を配置することもできる。くぼみ２７５は、タブ２２０を取り外す前に接触部２３６へのアクセスを防ぐために、アクチュエータ２１６の接触部２３６が、上部タブ部分２３４により完全に覆われることを可能にする。
【００３４】
図３２〜図３４を参照すると、タブ２２０が取り除かれると、襟部壁２１３ａは、第１の襟部２３３と第２の襟部２３５との間に空間２３１を形成する。空間２３１は、Ｕ字状とされ得る。空間２３１は、空間２３１と空間２２８とがアクチュエータ２１６へのよりよいアクセスを許可するように（「開位置」）、シュラウド２１４内の空間２２８と揃えられる。従って、ディスペンサキャップ２１０に接続された容器の内容物を供給するために、図３２の矢印Ｆで示された力が、アクチュエータ２１６に加えられ得る。例えば、使用者の指は、アクチュエータ２１６に接触するように襟部２１２中の空間２３１とシュラウド２１４中の空間２２８とを通じて延びることができる。タブ２２０が取り除かれると、襟部２１２は、矢印Ｂ２で示されるように、シュラウド２１４に対して回転することができる。ディスペンサキャップ２１０がエアゾール容器に接続されているとき、アクチュエータ２１６とインサート２１８とを通過するように製品および／または噴射剤のための通路を開くために、使用者は、図３２の矢印Ｆ２に示されるようにアクチュエータ２１６に力を加える。
【００３５】
図３５〜図３７を参照すると、ディスペンサキャップ２１０は、図３２〜図３４中の矢印Ｂ２に示されるように、タブ２２０（図示せず）が取り外されており、襟部２１２は回転され、それによって図３５〜図３７に示されるような位置に襟部２１２の孔２１３を移動させる。この位置では、襟部２１２の孔２１３とシュラウド２１４の孔２２３とは、もはや揃えられず、襟部２１２は、シュラウド２１４の孔２２３を覆っている。これは閉位置である。襟部２１２の空間２３１は、襟部２１２の回転により移動させられ、それにより、襟部２１２の空間２３１はこの閉位置でシュラウド２１４の空間２２８にもはや揃えられていない。使用者の指は、もはやアクチュエータ２１６に接触するように襟部２１２内の空間２３１とシュラウド２１４内の空間２２８とを通じて延びることはできない。
【００３６】
襟部２１２は、下縁２１２ａから上縁２１２ｂにサイズが減少する形状を有する。図３６の矢印Ｆ２により示されるように力をアクチュエータ２１６に加えるために、使用者の指が襟部２１２の上縁２１２ｂとシュラウド２１４との間のアクチュエータ２１６にアクセスするのを最小にするまたは防ぐように、襟部２１２の上縁２１２ｂは、閉位置でアクチュエータ２１６の上方の空間２２８の一部を覆う。
【００３７】
図３０を参照すると、アクチュエータ２１６は、アクチュエータ１６と同じであり、開口２２８ａ内にある接触部２３６を有する。接触部２３６は、接続部２３８に接続されている。接続部２３８の第１の端部２４０は、ディスペンサキャップ２１０に接続された容器に接続し、例えば、接続部２３８は、容器から供給された噴射剤および／または製品を受け取るチューブに接続している。接続部２３８の第２の端部２４２は、導管２４４の第１の端部２４６に接続されている。導管２４４の第１の端部２４６は、接触部２３６にも接続されている。導管２４４は、挿入部２５０に接続している第２の端部２４８を有する。
【００３８】
挿入部２５０は、挿入部２５０の両側の突出部２５０ａと２５０ｂとに接続されている。突出部２５０ａと２５０ｂとは、シュラウド２１４に接続されたホルダ２５１と２５３との一方にそれぞれ嵌められる。ホルダ２５１と２５３とは、それぞれが開口を有するようにＣ字形である。突出部２５０ａと２５０ｂとがそれぞれホルダ２５１と２５３との一方の開口を通じて嵌まり、スナップフィットによってその中に保持されるように、突出部２５０ａと２５０ｂとならびに／またはホルダ２５１と２５３とは、可撓性とすることができる。突出部２５０ａと２５０ｂとがホルダ２５１と２５３との接続を維持しながら接触部２３６を移動させるために、力が図３２の矢印Ｆ２に示されるように接触部２３６に加えられ得るように、突出部２５０ａと２５０ｂとおよびホルダ２５１と２５３とは、シュラウド２１４とアクチュエータ２１６との間に片持ち梁接続を形成する。アクチュエータ２１６は、図３２の矢印Ｆ２に示されるように、アクチュエータ２１６にもはや力が加えられていないとき、アクチュエータ２１６は、図３２の矢印Ｆ２に示されるように力と反対方向に移動し、力が加えられるよりも前のその初期位置に戻るように可撓性を有する。
【００３９】
挿入部２５０は、その中にインサート２１８を受け入れる。導管２４４は、接続部２３８から導管２４４を通じて、挿入部２５０を通じて、およびインサート２１８を通じてディスペンサキャップ２１０から外へ流体が流れることができるように接続部２３８を挿入部２５０に接続している。上述のように、アクチュエータ２１６とインサート２１８とを通過させるように製品および／または噴射剤のための通路を開くために、図３２の矢印Ｆ２に示されるように、使用者は、アクチュエータ２１６に力を加える。ディスペンサキャップ２１０は、ディスペンサキャップ１０ａと同じエアゾール容器に接続されている。
【００４０】
図３８〜図４２を参照すると、襟部２１２は、突出部２５２をその内面２５４上に有する。突出部２５２は、隣接する下縁２１２ａであり、襟部２１２の外周あたりで連続している。代替として、あまり好ましくないが、突出部２５２は、不連続であってもよい。襟部２１２は、外面２５８にリッジ２５６を有する。リッジ５６は、襟部２１２の回転中に使用者による把持を助けることができる。
【００４１】
図４１〜図４２を参照すると、内面２５４は、襟部リブ２６０を有する。襟部リブ２６０は、内面２５４から突出する。襟部リブ２６０は、襟部２１２の上縁２１２ｂから下縁２１２ａへの方向に延びる。襟部リブ２６０は、襟部２１２の回転を防ぐための止め部を与え、可撓性リブ２６０ａをかたくする。襟部２１２は、内面２５４に成形された襟部リブ２６０を有することができる。可撓性リブ２６０ａは可撓性であり、回転中に偏向し、「クリック（ｃｌｉｃｋ）」音、即ち可聴音を発生させる。
【００４２】
図４３〜図４４を参照すると、シュラウド２１４は、上部シュラウド部２２４と底部シュラウド部２２６との間に中間シュラウド部２６２を有する。中間シュラウド部２６２は、くぼみ２６６を形成する外面２６４を有する。くぼみ２６６は、第１の側壁２６６ａと、第２の側壁２６６ｂと、第１の側壁２６６ａと第２の側壁２６６ｂとの間の底壁２６６ｃと有する。中間シュラウド部２６２は、くぼみ２６６内の単一のリブであるポスト２６７を有する。ポスト２６７は剛性とすることができる。ポスト２６７は、くぼみ２６６内に成形され得る。中間シュラウド部２６２の外面２６４は、溝２７２を形成する。溝２７２は、底部シュラウド部２２６に隣接している。溝２７２は、襟部２１２の突出部２５２を受け入れるように寸法決めされ成形される。
【００４３】
図４４を参照すると、シュラウド２１４は、開口２２８ａを囲む内壁２７３を有する。内壁２７３は、突出部２７７を有する。突出部２７７は、タブ２２０が接続位置にあるときに上部のタブ部分２３４に支持を行う。突出部２７７は、負荷により偏向するように上部タブ部分２３４の抵抗を増大させ、特に、上部タブ部分２３４の上負荷強度を増加させる。
【００４４】
図３１を参照すると、襟部２１２は、シュラウド２１４の溝２７２内に襟部２１２の突出部２５２を配置することによってシュラウド２１４に接続されている。この接続は、例えば、スナップフィットとすることができる。溝２７２と突出部２５２とは、シュラウド２１４に対して襟部２１２の回転を可能にする。溝２７２と突出部２５２とは、シュラウド２１４に接続された襟部２１２を維持する。襟部２１２とシュラウド２１４とは、例えば、シュラウド２１４上の襟部２１２の保持に影響を与えずに襟部２１２の容易な回転を実現するポリプロピレン１キログラム当たり４グラムのエルカ酸アミドスリップ添加剤を含む。
【００４５】
図４５〜図４７を参照すると、襟部２１２は、可撓性リブ２６０ａがシュラウド２１４の外面２６４により形成されたくぼみ２６６の中に延びるようにシュラウド２１４に接続されている。可撓性リブ２６０ａは、回転中に可撓性リブ２６０ａの一部がポスト２６７に接触し、可撓性リブ２６０ａおよび／または襟部２１２を変形させ、可撓性リブ２６０ａがポスト２６７のまわりを通過することを可能にするようにくぼみ２６６の中に延びる。可撓性リブ２６０ａは、例えば、ホモポリマーポリプロピレンなどの材料で作製され得る。可撓性リブ２６０ａとポスト２６７との間の接触は、可聴ノイズ即ち「クリック」を発生させる。
【００４６】
図４６を参照すると、タブ２２０が接続位置にあるときに、ディスペンサキャップ２１０は開位置にある。ディスペンサキャップ２１０が開位置にあるとき、可撓性リブ２６０ａは、ポスト２６７とシュラウド２１４に形成されたくぼみ２６６の第２の側壁２６６ｂとの間にある。上部タブ部分２３４と上部シュラウド部２２４とは、上部タブ部分２３４と上部シュラウド部２２４との間のアクチュエータ２１６への使用者のアクセスを最小にしまたは防ぎ、それによりタブ２２０が接続されるときディスペンサキャップ２１０に接続された容器の内容物を供給することになるアクチュエータ２１６の接触部２３６に矢印Ｆ２により示されるように力が加えられることを最小にするまたは防ぐように寸法決めされている。コネクタ２２２を破壊し襟部２１２からタブ２２０を取り除くために、使用者は、空間２７６内に指を挿入することによりタブ２２０を把持し、例えば矢印Ａ２により示されるように力を加える。
【００４７】
図２９に示されるように、タブ２２０は、タブ２２０を取り除くためにタブ２２０に力を加える方向を使用者に示すインジケータ２３４ａを有し、例えば、方向Ａ２の矢印で「切取り部分」が、タブ部分２３４に成形される。
【００４８】
図３３に戻って参照すると、タブ２２０が取り除かれると、使用者の指は、ディスペンサキャップ２１０に接続された容器の内容物をスプレーするために、矢印Ｆ２に示されるように力が加えられるようにアクチュエータ２１６に接触するように、襟部２１２中の空間２３１とシュラウド２１４中の空間２２８とを通じて延びることができる。ディスペンサキャップ２１０は、ポスト２６７のまわりを通過するように可撓性リブ２６０を移動させるのに十分所定の力が加えられるまで開位置に維持される。
【００４９】
タブ２２０が取り除かれると、所定の力を加えることにより、矢印Ｂ２により示されるように、襟部２１２は、シュラウド２１４に対して回転することができる。シュラウド２１４は、閉位置に移動するために襟部２１２を回転させる方向を使用者に示すインジケータ２１５を有し、例えば、矢印と共に「閉（ｃｌｏｓｅ）」が、上部シュラウド部２２４に成形される。襟部２１２が例えば約６０度回転されると、可撓性リブ２６０ａは、図３５〜図３７に示されるように閉位置に移動するために、ポスト２６７のまわりを通過する。可撓性リブ２６０ａとポスト２６７との間の接触は、可聴ノイズ即ち「クリック」を発生させる。可撓性リブ２６０ａは、いずれかの方向の襟部２１２の回転がポスト２６７を越えて可撓性リブ２６０ａを移動させる毎に、単一の際立ったクリック位置を示すノイズを生成することによりポスト２６７と相互作用する。図４５に示されるように、閉位置で、可撓性リブ２６０ａは、ポスト２６７とくぼみ２６６の第１の側壁２６６ａとの間にある。ディスペンサキャップ１０は、ポスト２６７のまわりを通過するように可撓性リブ２６０ａを移動させるのに十分所定の力が加えられるまで閉位置に維持される。襟部２１２の上縁２１２ｂが、接触部２３６の一部を覆い、襟部２１２の空間２３１が襟部２１２の回転後に移動させられ、それにより襟部２１２の空間２３１は、閉位置でシュラウド２１４の空間２２８ともはや揃えられない。アクチュエータ２１６へのアクセスは、襟部２１２がアクチュエータ２１６へのアクセスを阻止し、シュラウド２１４中の孔２２３を覆うまたは見えなくするときに、容器の内容物を供給するように矢印Ｆ２で示された力を使用者が加えることができないように閉位置において防がれるまたは最小にされる。しかし、接触部２３６は、閉位置で移動可能である。襟壁２１３ａは、閉位置で孔２２３を囲むシュラウド壁２２５に接触することができる。
【００５０】
襟部２１２は、図３５〜図３６の矢印Ｃ２に示されるように、シュラウド２１４に対して回転することができる。襟部２１２が例えば約６０度回転されると、可撓性リブ２６０ａは、図３２に示されるように開位置に移動するために、ポストのまわりを通過する。図３５に示されるように、シュラウド２１４は、開位置に移動するために襟部２１２を回転させる方向を使用者に示すインジケータ２１７を有し、例えば、矢印と共に「開（ＯＰＥＮ）」が、中間シュラウド部２６２に成形される。可撓性リブ２６０ａとポスト２６７との間の接触は、可聴ノイズ即ち「クリック」を発生させる。可撓性リブ２６０ａは、可撓性リブ２６０ａがポスト２６７を越えるときに、単一の際立ったクリック位置を示すノイズを生成することによりポスト２６７と相互作用する。タブ２２０が取り除かれると、ディスペンサキャップ２１０は、使用者が望むような開位置と閉位置とへ／から選択的に移動することができる。可撓性リブ２６０ａは、第１側壁２６６ａと第２の側壁２６６ｂとが可撓性リブ２６０ａと襟部２１２との回転を規制するように、くぼみ２６６の第１側壁部２６６ａと第２の側壁２６６ｂとの間で回転する。
【００５１】
図４８〜図５０を参照すると、本開示によるディスペンサキャップの第３の例示的実施形態は、開位置で示され、参照番号３１０により全体的に参照されている。ディスペンサキャップ３１０は、ディスペンサキャップ２１０と同じであるが、ディスペンサキャップ３１０は、襟部２１２とは異なる襟部３１２を有する。襟部３１２が上縁２１２ｂの代わりに上部襟部分３８０を有する以外、襟部３１２は襟部２１２と同じである。従って、ディスペンサキャップ２１０から同一の参照番号は、同じ特徴についてのディスペンサキャップ３１０に使用される。
【００５２】
上部襟部分３８０は壁３８２を有している。上部襟部分の壁３８２はくぼみ３８４を有する。上部襟部分３８０の壁３８２とくぼみ３８４とは、上部シュラウド部２２４に相補的な形状を有している。
【００５３】
図５１〜図５４を参照すると、上部襟部分３８０の壁３８２は、外面３８５と内面３８６とを有する。上部襟部分の外面３８５は、閉位置に移動するために襟部３１２を回転させる方向を使用者に示すためのインジケータ３１５を有し、例えば、矢印と共に「閉」が、上部襟部分３８０に成形される。
【００５４】
図４８〜図５０と図５５〜図５７とに示されるように、上部襟部分３８０は、開位置で上部シュラウド部２２４を覆っている。
【００５５】
図５８〜図６０に示されるように、上部襟部分３８０は、図３６に矢印Ｆ２により示されるようにアクチュエータ２１６に力を加えるために、上部襟部分３８０とシュラウド２１４との間で使用者の指がアクチュエータ２１６にアクセスするのを最小にするまたは防ぐために、閉位置でアクチュエータ２１６の上方の空間２２８の一部を覆う。孔２１３は、閉位置で凹部２６６の上に配置される。
【００５６】
キャップ２１０および３１０を含むディスペンサ組立体は、図２５とは対照的に、ディスペンサキャップ２１０と３１０とに対するゲルの堆積を減少させ、またはゲルの何らかの堆積は、シュラウド２１４中の孔２２３を覆う襟部２１２と３１２とにより視界から隠される。有利には、ディスペンサキャップ２１０と３１０とは、閉位置においてまたは使用前にアクチュエータ２１６へのアクセスを阻止することにより、望ましくない堆積を最小にするまたは防ぐと共に、ディスペンサキャップ２１０と３１０とに接続された容器の内容物の供給を最小にするまたは防ぐ。
【００５７】
ディスペンサキャップ１０、２１０、および３１０は、タブ２０および２２０により消費者または使用者による店内でのスプレー噴射を防止する。ディスペンサキャップ１０、２１０、および３１０は、アクチュエータ１６および２１６へのアクセスを阻止すると共にシュラウド１４および２１４中の孔２３および２２３を覆うまたは隠すタブ２０および２２０ならびに襟部１２、２１２、および３１２により使用者による意図しない作動を防ぐ。
【００５８】
ディスペンサキャップ１０は、アクチュエータ１６を有し、ディスペンサキャップ２１０および３１０は、開位置と閉位置の両方で移動可能であるアクチュエータ２１６を有する。この機能は、これらのディスペンサキャップで、既存のアクチュエータの使用を可能にする。さらに、ディスペンサキャップ１０、２１０、および３１０は、それぞれアクチュエータ１６および２１６の動きを防止するための機構を必要とせず、非使用位置でアクチュエータの移動を防止する従来技術のディスペンサキャップを上回るこれらのディスペンサキャップの製造および組み立ての容易さを増加させる。強化された人間工学は、シュラウド１４内で凹まされたアクチュエータ１６の位置と、シュラウド２１４内で凹まされたアクチュエータ２１６の位置とによっても与えられる。使用者が、襟部１２、２１２、および３１２を移動させるための努力をしたくない場合は、アクチュエータ１６および２１６は、常に押し下げられている。
【００５９】
また、用語「第１の」、「第２の」、「第３の」、「上」、「下」等は、様々な要素を修飾するために本明細書中で使用され得ることにも留意されたい。特に記載のない限り、これらの修飾語は、修正された要素に対して空間的、順次的、または階層的秩序を意味しない。
【００６０】
本開示は、１つまたは複数の例示的実施形態を参照して説明してきたが、種々の変更が、本開示の範囲から逸脱することなく行うことができ、均等物をその要素の代わりに使用することができることが当業者によって理解されよう。加えて、多くの変更が、本開示の範囲から逸脱することなく、本開示の教示に特定の状況または材料を適合させるようになされてもよい。従って、本開示は、考えられる最良の形態として開示された特定の実施形態に限定されず、本開示は、添付の特許請求の範囲内に入る全ての実施形態を包含することが意図されている。
【図１】
2016502962.tif 000003
【図２】
2016502962.tif 000004
【図３】
2016502962.tif 000005
【図４】
2016502962.tif 000006
【図５】
2016502962.tif 000007
【図６】
2016502962.tif 000008
【図７】
2016502962.tif 000009
【図８】
2016502962.tif 000010
【図９】
2016502962.tif 000011
【図９ａ】
2016502962.tif 000012
【図１０】
2016502962.tif 000013
【図１０ａ】
2016502962.tif 000014
【図１１】
2016502962.tif 000015
【図１２】
2016502962.tif 000016
【図１３】
2016502962.tif 000017
【図１４】
2016502962.tif 000018
【図１５】
2016502962.tif 000019
【図１６】
2016502962.tif 000020
【図１７】
2016502962.tif 000021
【図１８】
2016502962.tif 000022
【図１９】
2016502962.tif 000023
【図２０】
2016502962.tif 000024
【図２１】
2016502962.tif 000025
【図２２】
2016502962.tif 000026
【図２３】
2016502962.tif 000027
【図２４】
2016502962.tif 000028
【図２５】
2016502962.tif 000029
【図２６】
2016502962.tif 000030
【図２７】
2016502962.tif 000031
【図２８】
2016502962.tif 000032
【図２９】
2016502962.tif 000033
【図３０】
2016502962.tif 000034
【図３１】
2016502962.tif 000035
【図３２】
2016502962.tif 000036
【図３３】
2016502962.tif 000037
【図３４】
2016502962.tif 000038
【図３５】
2016502962.tif 000039
【図３６】
2016502962.tif 000040
【図３７】
2016502962.tif 000041
【図３８】
2016502962.tif 000042
【図３９】
2016502962.tif 000043
【図４０】
2016502962.tif 000044
【図４１】
2016502962.tif 000045
【図４２】
2016502962.tif 000046
【図４３】
2016502962.tif 000047
【図４４】
2016502962.tif 000048
【図４５】
2016502962.tif 000049
【図４６】
2016502962.tif 000050
【図４７】
2016502962.tif 000051
【図４８】
2016502962.tif 000052
【図４９】
2016502962.tif 000053
【図５０】
2016502962.tif 000054
【図５１】
2016502962.tif 000055
【図５２】
2016502962.tif 000056
【図５３】
2016502962.tif 000057
【図５４】
2016502962.tif 000058
【図５５】
2016502962.tif 000059
【図５６】
2016502962.tif 000060
【図５７】
2016502962.tif 000061
【図５８】
2016502962.tif 000062
【図５９】
2016502962.tif 000063
【図６０】
2016502962.tif 000064
【手続補正書】
【提出日】平成27年10月8日(2015.10.8)
【手続補正１】
【補正対象書類名】図面
【補正対象項目名】全図
【補正方法】変更
【補正の内容】
【図１】
2016502962.tif 000065
【図２】
2016502962.tif 000066
【図３】
2016502962.tif 000067
【図４】
2016502962.tif 000068
【図５】
2016502962.tif 000069
【図６】
2016502962.tif 000070
【図７】
2016502962.tif 000071
【図８】
2016502962.tif 000072
【図９】
2016502962.tif 000073
【図９ａ】
2016502962.tif 000074
【図１０】
2016502962.tif 000075
【図１０ａ】
2016502962.tif 000076
【図１１】
2016502962.tif 000077
【図１２】
2016502962.tif 000078
【図１３】
2016502962.tif 000079
【図１４】
2016502962.tif 000080
【図１５】
2016502962.tif 000081
【図１６】
2016502962.tif 000082
【図１７】
2016502962.tif 000083
【図１８】
2016502962.tif 000084
【図１９】
2016502962.tif 000085
【図２０】
2016502962.tif 000086
【図２１】
2016502962.tif 000087
【図２２】
2016502962.tif 000088
【図２３】
2016502962.tif 000089
【図２４】
2016502962.tif 000090
【図２５】
2016502962.tif 000091
【図２６】
2016502962.tif 000092
【図２７】
2016502962.tif 000093
【図２８】
2016502962.tif 000094
【図２９】
2016502962.tif 000095
【図３０】
2016502962.tif 000096
【図３１】
2016502962.tif 000097
【図３２】
2016502962.tif 000098
【図３３】
2016502962.tif 000099
【図３４】
2016502962.tif 000100
【図３５】
2016502962.tif 000101
【図３６】
2016502962.tif 000102
【図３７】
2016502962.tif 000103
【図３８】
2016502962.tif 000104
【図３９】
2016502962.tif 000105
【図４０】
2016502962.tif 000106
【図４１】
2016502962.tif 000107
【図４２】
2016502962.tif 000108
【図４３】
2016502962.tif 000109
【図４４】
2016502962.tif 000110
【図４５】
2016502962.tif 000111
【図４６】
2016502962.tif 000112
【図４７】
2016502962.tif 000113
【図４８】
2016502962.tif 000114
【図４９】
2016502962.tif 000115
【図５０】
2016502962.tif 000116
【図５１】
2016502962.tif 000117
【図５２】
2016502962.tif 000118
【図５３】
2016502962.tif 000119
【図５４】
2016502962.tif 000120
【図５５】
2016502962.tif 000121
【図５６】
2016502962.tif 000122
【図５７】
2016502962.tif 000123
【図５８】
2016502962.tif 000124
【図５９】
2016502962.tif 000125
【図６０】
2016502962.tif 000126
【国際調査報告】
2016502962.tif 000127
2016502962.tif 000128